(57)【要約】【課題】希望視聴番組以外であってもＡＧＣ電圧の安定化時間を考慮してチューナ部の電源をオンしておく必要があり、その分余分に電源を消費していた。【解決手段】ＡＧＣ制御器３９ａから出力されるＲＦＡＧＣ電圧と、復調器４３から出力される視聴したい希望番組の時間２５ｂｂの信号が入力される制御器４６を設け、希望番組の視聴に必要なシンボルの開始時より以前において、制御器４６から出力されるＲＦＡＧＣ電圧をＡＧＣ制御端子３７ａに供給した後、制御器４６からチューナ部３２の電源端子４５に電源電圧を供給するものである。これにより、所期の目的を達成することができる。【選択図】図１
2008066823.tif 000002
【特許請求の範囲】
【請求項１】
時分割されたシンボルにより構成された伝送フレームを有するデジタル信号を受信するデジタル信号受信装置において、前記デジタル信号が入力されるアンテナ端子と、このアンテナ端子からのデジタル信号が供給されるとともに利得制御の可能な第１のＡＧＣ端子を有する第１の増幅器と、この第１の増幅器の出力が一方の入力に供給されるとともに、他方の入力には発振器の出力が接続された第１の混合器と、この第１の混合器から出力される信号レベルを予め定められた第１の基準値と比較した比較電圧が出力される第１のＡＧＣ制御器とから成るチューナ部と、このチューナ部から出力された信号が供給される復調器と、この復調器からの復調信号が出力される出力端子とを備え、前記第１のＡＧＣ制御器から出力された第１のＡＧＣ電圧と、前記復調器から出力されるシンボルとが入力される制御部を設け、前記シンボルの中で希望番組の視聴に必要なシンボルの開始時より以前において、前記制御部を介して出力される前記第１のＡＧＣ電圧を前記第１のＡＧＣ端子に供給した後、前記制御部から前記チューナ部へ電源電圧を供給するデジタル信号受信装置。
【請求項２】
第１の混合器をダイレクトコンバージョンとした請求項１に記載のデジタル信号受信装置。
【請求項３】
第１の混合器と第１の増幅器との間に第２の混合器を挿入した請求項１に記載のデジタル信号受信装置。
【請求項４】
第１の混合器とチューナ部の出力との間に利得制御の可能な第２のＡＧＣ端子を有する第２の増幅器と、この第２の増幅器から出力される信号レベルを予め定められた第２の基準値と比較した比較電圧が出力される第２のＡＧＣ制御器とを設け、前記各シンボルの中で希望番組の視聴に必要なシンボルの開始時より以前において、前記制御部から出力される前記第１のＡＧＣ電圧と前記第２のＡＧＣ電圧を第１のＡＧＣ端子と前記第２のＡＧＣ端子にそれぞれ供給した後、前記制御部から前記チューナ部へ電源電圧を供給する請求項１に記載のデジタル信号受信装置。
【請求項５】
制御部にメモリを接続し、この制御部から出力された第１、第２のＡＧＣ電圧を前記メモリに格納する請求項３に記載のデジタル信号受信装置。
【請求項６】
第１のセルからこの第１のセルに隣接した第２のセルに移動する場合、選局されたシンボルを受信する以外の時間に前記第２のセルにおける第１のＡＧＣ電圧および第２のＡＧＣ電圧を取得し、これらの第１のＡＧＣ電圧および第２のＡＧＣ電圧をメモリに格納する請求項５に記載のデジタル信号受信装置。
【発明の詳細な説明】
【技術分野】
【０００１】
本発明は、時分割されたシンボルにより構成された伝送フレームを有するデジタル信号を受信するデジタル信号受信装置に関するものである。
【背景技術】
【０００２】
以下、従来のデジタル信号受信装置について説明する。従来のデジタル信号受信装置１は、図５に示すようにチューナ部２と復調部３とから構成されていた。
【０００３】
チューナ部２は、アンテナ４で受信されたデジタル信号が入力されるアンテナ端子５と、このアンテナ端子５に入力されたデジタル信号が供給されるバンドパスフィルタ６と、このバンドパスフィルタ６の出力が接続されたＲＦ増幅器７と、このＲＦ増幅器７の出力が一方の入力に接続されるとともに、他方の入力にはＰＬＬ回路１７で制御される発振器８の出力が接続された混合器９と、この混合器９からの出力信号が入力されるＡＧＣ制御器９ａと、混合器９の出力が接続されたＩＦ増幅器１０と、このＩＦ増幅器１０の出力が接続された出力端子１１とで構成されていた。
【０００４】
また、このチューナ部２の出力端子１１に接続される復調部３は、チューナ部２の出力端子１１に接続される復調入力端子１２と、この復調入力端子１２に接続されたＡＤコンバータ１８と、このＡＤコンバータ１８からの出力信号が入力されるＡＧＣ制御器１８ａと、ＡＤコンバータ１８の出力に接続された復調器１３と、この復調器１３の出力１３ａが接続された復調出力端子１４と、復調器１３の出力１３ｂとＡＧＣ制御器９ａの出力とＡＧＣ制御器１８ａの出力がそれぞれ入力された制御部１５と、チューナ部２の電源端子１６とから構成されていた。なお、制御部１５からの出力は、ＲＦ増幅器７のＡＧＣ制御端子７ａとＩＦ増幅器１０のＡＧＣ制御端子１０ａにそれぞれ接続されていた。
【０００５】
以上のように構成されたデジタル信号受信装置の動作について以下説明する。アンテナ４では、デジタル信号２１が受信される。図２（ａ）は、このデジタル信号２１の１フレームの構成の一例を表す。この図２（ａ）に示すように、デジタル信号２１の１フレームは、主にフレーム同期用シンボル２２と、このフレーム同期用シンボル２２に続く送信シンボル２３から構成されている。
【０００６】
この送信シンボル２３は、複数個の送信シンボル２３Ａ、２３Ｂ、２３Ｃで構成されている。この送信シンボル２３のうち一つの送信シンボル２３Ａは、２３Ａ−ａａ、２３Ａ−ｂｂ、２３Ａ−ｃｃで構成され、送信シンボル２３Ｂは、２３Ｂ−ａａ、２３Ｂ−ｂｂ、２３Ｂ−ｃｃで構成され、送信シンボル２３Ｃは、２３Ｃ−ａａ、２３Ｃ−ｂｂ、２３Ｃ−ｃｃで構成されている。
【０００７】
以上のような伝送フレームを持つデジタル信号２１の内、ａａ番組を視聴する場合には、２３Ａ−ａａ、２３Ｂ−ａａ、２３Ｃ−ａａを選択後に信号処理することで視聴できる。ｂｂ番組を視聴する場合には、２３Ａ−ｂｂ、２３Ｂ−ｂｂ、２３Ｃ−ｂｂを選択後に信号処理することで視聴できる。同様に、ｃｃ番組を視聴する場合には、２３Ａ−ｃｃ、２３Ｂ−ｃｃ、２３Ｃ−ｃｃを選択後に信号処理して視聴することができる。
【０００８】
例えば、ｂｂ番組を視聴したい場合には、図２（ｂ）に示すように、フレーム同期用シンボル２２を受信する時間２４と、送信シンボル２３のうち、ｂｂ番組を受信する時間２５ｂｂのみにおいてチューナ部２の電源をオンにしておけば、ｂｂ番組を受信することができる。
【０００９】
従って、ａａ番組の放送時間、ｃｃ番組の放送時間のようにｂｂ番組の放送時間以外の時間においては、チューナ部２の電源端子１６をオフしておくことができる。即ち、デジタル信号受信装置１の省電力化を図ることができる。
【００１０】
なお、この出願の発明に関連する先行技術文献情報としては、例えば、特許文献１が知られている。
【特許文献１】特開２００５−５１０１１５号公報
【発明の開示】
【発明が解決しようとする課題】
【００１１】
しかしながら、このような従来のデジタル信号受信装置１では、例えばｂｂ番組を視聴したい場合には、チューナ部２の電源端子１６をオンしてからＲＦＡＧＣ電圧が安定するまでのＡＧＣ安定化時間２７（後述する。）が必要であった。このＡＧＣ安定化時間２７を考慮して、チューナ部２の電源端子１６を予めオンする必要があった。
【００１２】
そこで本発明は、この問題を解決したもので、ＡＧＣ安定化時間を考慮することにより省電力化を図るデジタル信号受信装置を提供することを目的としたものである。
【課題を解決するための手段】
【００１３】
この目的を達成するために本発明のデジタル信号受信装置は、第１のＡＧＣ制御器から出力された第１のＡＧＣ電圧と、復調器から出力されるシンボルとが入力される制御部を設け、前記シンボルの中で希望番組の視聴に必要なシンボルの開始時より以前において、前記制御部から出力される前記第１のＡＧＣ電圧を第１のＡＧＣ端子に供給した後、前記制御部からチューナ部へ電源電圧を供給するものである。
【００１４】
これにより、所期の目的を達成することができる。
【発明の効果】
【００１５】
以上のように本発明は、第１のＡＧＣ制御器から出力された第１のＡＧＣ電圧と、復調器から出力されるシンボルとが入力される制御部を設け、前記シンボルの中で希望番組の視聴に必要なシンボルの開始時より以前において、前記制御部から出力される前記第１のＡＧＣ電圧を第１のＡＧＣ端子に供給した後、前記制御部からチューナ部へ電源電圧を供給するものであり、第１のＡＧＣ電圧を供給してからチューナ部への電源を供給することによって、省電力化を図ることができる。
【００１６】
従って、例えば電源として電池を用いた携帯用のデジタル信号受信装置においては電池の長寿命化を図ることができる。
【発明を実施するための最良の形態】
【００１７】
以下、本発明の実施の形態について図面に基づいて説明する。
【００１８】
（実施の形態１）
図１は本発明の実施の形態１におけるデジタル信号受信装置のブロック図である。本実施の形態におけるデジタル信号受信装置３１は、図１に示すようにチューナ部３２と復調部３３とで構成されている。
【００１９】
チューナ部３２は、アンテナ３４で受信されたデジタル信号２１が入力されるアンテナ端子３５と、このアンテナ端子３５に入力されたデジタル信号が供給されるバンドパスフィルタ３６と、このバンドパスフィルタ３６の出力が接続されたＲＦ増幅器３７と、このＲＦ増幅器３７の出力が一方の入力に接続されるとともに、他方の入力には発振器３８の出力が接続された混合器３９と、この混合器３９からの出力信号が入力されるＡＧＣ制御器３９ａと、混合器３９の出力が接続されたＩＦ増幅器４０と、ＩＦ増幅器４０の出力が接続された出力端子４１とで構成されている。
【００２０】
また、発振器３８には、ＰＬＬ回路４９が接続されてＰＬＬ制御されている。更に、発振器３８の出力は、バンドパスフィルタ３６とＲＦ増幅器３７と混合器３９の一方の入力に接続されてそれぞれを制御する。
【００２１】
一方、このチューナ部３２の出力端子４１に接続される復調部３３は、チューナ部３２の出力端子４１に接続される復調入力端子４２と、この復調入力端子４２に接続されたＡＤコンバータ５０と、このＡＤコンバータ５０からの出力信号が入力されるＡＧＣ制御器５０ａと、ＡＤコンバータ５０の出力に接続された復調器４３と、この復調器４３の出力４３ａが接続された出力端子４４と、復調器４３の出力４３ｂとＡＧＣ制御器３９ａの出力とＡＧＣ制御器５０ａの出力がそれぞれ入力された制御器４６と、この制御器４６からの出力がそれぞれ接続されたＲＦ増幅器３７のＡＧＣ制御端子３７ａとＩＦ増幅器４０のＡＧＣ制御端子４０ａとチューナ部３２の電源端子４５と、制御器４６に接続されたメモリ４７とから構成されている。
【００２２】
また、発振器３８の出力が、バンドパスフィルタ３６、ＲＦ増幅器３７、混合器３９の一方の入力へ漏洩しないように、発振器３８とこれらの素子との間にはシールド素子４８（図示せず）が設けられている。
【００２３】
以上のように構成されたデジタル信号受信装置３１について、以下にその動作を説明する。
【００２４】
先ず、デジタル信号２１のフレーム構成を説明する。この図２（ａ）に示すように、デジタル信号２１のフレーム構成は、フレーム同期用シンボル２２と、このフレーム同期用シンボル２２に続く送信シンボル２３とで構成されている。なお、サービス識別用シンボル２２ｂ（図示せず）は、フレーム同期用シンボル２２と同様に必要となるが、以下の説明では省略している。
【００２５】
なお、このデジタル信号２１のフレーム構成は、例えばＤＶＢＨを用いて基本的な部分について説明したが、送信信号を時分割として用いるＤＡＢ方式等においても同様に適用できる。
【００２６】
次に、デジタル信号受信装置３１の動作について説明する。アンテナ３４より受信されたデジタル信号２１は、バンドパスフィルタ３６で妨害信号が抑圧される。そして、ＲＦ増幅器３７では、ＡＧＣ制御器３９ａから出力されるＲＦＡＧＣ電圧で利得制御される。また、ＩＦ増幅器４０は、ＡＧＣ制御器５０ａから出力されるＩＦＡＧＣ電圧により利得制御される。
【００２７】
デジタル信号受信装置３１の選局は、ＰＬＬ回路４９で発振周波数が制御される発振器３８の出力信号と混合器３９で混合されて選局される。この混合器３９から出力される周波数は混合器３９の入力周波数より低い５０ＭＨｚ程度の周波数か、或いはいきなりベースバンド周波数に変換される。この混合器３９から出力される周波数を中間周波数とする。
【００２８】
図２（ｂ）は、ｂｂ番組を受信する場合に必要となる信号と時間を表している。このｂｂ番組を受信するには、フレーム同期用シンボル２２に対応した時間２４と、伝送シンボル２３Ａ−ｂｂ、２３Ｂ−ｂｂ、２３Ｃ−ｂｂのそれぞれに対応した時間２５ｂｂにおいて受信することが必要となり、その時間ではチューナ部３２の電源のオン時間とする。このオン時間２５ｂｂは、例えば０．５ｓｅｃであり、１フレームの時間は例えば約５ｓｅｃである。
【００２９】
図２（ｂ）で表される制御信号が復調器４３の出力４３ｂから出力される。この制御信号が制御器４６に入力されることにより、ＡＧＣ制御器３９ａおよびＡＧＣ制御器５０ａからそれぞれ出力されるＲＦＡＧＣ電圧、ＩＦＡＧＣ電圧は、制御器４６でオン、オフ制御されてＡＧＣ制御端子３７ａ、４０ａに供給される。
【００３０】
同様に、ａａ番組の放送時間２５ａａ（図示せず）についても０．５ｓｅｃであり、ｃｃ番組の放送時間２５ｃｃ（図示せず）も０．５ｓｅｃである。
【００３１】
このｂｂ番組が選択された中間周波数は、ＩＦ増幅器４０で利得制御されて、チューナ部３２の出力端子４１から出力される。この出力端子４１から出力された中間周波数は、復調部３３の復調入力端子４２を介してＡＤコンバータ５０でデジタル信号に変換される。
【００３２】
このＡＤコンバータ５０でデジタル信号に変換されたデジタル信号は復調器４３に入力されて復調され、図２（ａ）あるいは図３（ａ）で表される復調されたデジタル信号２１が出力端子４４から出力される。
【００３３】
さらに、制御器４６においては、デジタル信号２１からフレーム同期用シンボル２２と、ｂｂ番組の伝送シンボル２３Ａ−ｂｂ、２３Ｂ−ｂｂ、２３Ｃ−ｂｂ等の時間２５ｂｂのみ切り出す。この切り出した信号である時間２４と、２５ｂｂに対して、チューナ部３２の電源端子４５への電源をオンとする。さらに、フレーム同期用シンボル２２を受信する時間２４およびｂｂ番組を受信する時間２５ｂｂ以外の時間では電源端子４５への電源を基本的にオフとしている。これにより、２３Ａ−ｂｂ、２３Ｂ−ｂｂ、２３Ｃ−ｂｂのみを選択して視聴し、電源の省電力化を図ることができる。
【００３４】
しかしながら、フレーム同期用シンボル２２あるいは送信シンボル２３Ａ−ｂｂ、２３Ｂ−ｂｂ、２３Ｃ−ｂｂを受信する場合において、ＲＦＡＧＣ電圧とＩＦＡＧＣ電圧がすぐに安定することはなく、安定するまでに時間を要する。この安定する時間を考慮して時間２５ｂｂが始まる前にチューナ部３２の電源端子４５への電源をオンする必要がある。
【００３５】
以下、このＡＧＣ安定化時間を考慮することにより、省電力化を図ることができるデジタル信号受信装置について説明する。
【００３６】
図３（ａ）は、時間に対するフレーム同期用シンボル２２と、送信シンボル２３Ａの信号レベルを表している。図３（ａ）において、送信シンボル２３Ａ−ａａ、２３Ａ−ｂｂ、２３Ａ−ｃｃはそれぞれ期間２５を有している。また、フレーム同期用シンボル２２、送信シンボル２３Ａ−ａａ、２３Ａ−ｂｂ、２３Ａ−ｃｃの間には、マルチパスによる干渉を防止するためにガードインターバル期間２６がそれぞれ設けられている。
【００３７】
図３（ｂ）は、従来例における時間に対するチューナ部２への電源端子１６への電源の供給状態を表している。図３（ｂ）に示すように電源端子１６に電源を供給したとしても、ＡＧＣ電圧の安定する時間が必要となる。このため、実際には例えばｂｂ番組を視聴する場合には、ＡＧＣ安定化時間２７を考慮してｂｂ番組視聴に先立って、時点２７ａにチューナ部２の電源端子１６をオンにする必要があった。このようにして、ｂｂ番組を視聴していた。
【００３８】
図３（ｃ）は、本実施の形態において、時間に対するチューナ部３２のＲＦＡＧＣ電圧とＩＦＡＧＣ電圧の供給状態を表している。
【００３９】
これらＲＦＡＧＣ電圧とＩＦＡＧＣ電圧は、例えばｂｂ番組を受信時には、２３Ａ−ｂｂ、２３Ｂ−ｂｂ、２３Ｃ−ｂｂを選択している時間に夫々メモリ４７に格納しておく。
【００４０】
この格納されたＲＦＡＧＣ電圧とＩＦＡＧＣ電圧を、送信シンボル２３Ａ−ｂｂに対して時間２８だけ早い時点２８ａにおいて、ＲＦ増幅器３７とＩＦ増幅器４０のＡＧＣ制御端子３７ａ、４０ａに対してそれぞれ供給しておく。これは、フレーム同期用シンボル２２、送信シンボル２３Ｂ−ｂｂ、２３Ｃ−ｂｂのいずれに対しても同様である。すなわち、ＲＦＡＧＣ電圧とＩＦＡＧＣ電圧を、それぞれのシンボルより時間２８だけ早い時点２８ａから、ＲＦ増幅器３７とＩＦ増幅器４０の制御端子３７ａ、４０ａに対してそれぞれ供給しておく。
【００４１】
これにより、時点２８ａ以降では、ＲＦＡＧＣ制御端子、ＩＦＡＧＣ制御端子に接続されたそれぞれのコンデンサに電荷が充電されることになる。
【００４２】
図３（ｄ）は、本実施の形態において、時間に対するチューナ部３２への電源端子１６への電源の供給状態を表している。図３（ｄ）に示すように、チューナ部３２への電源端子１６への電源の供給は、送信シンボル２３Ａ−ｂｂに対して時間２９だけ早い時点２９ａに供給する。
【００４３】
これは、フレーム同期用シンボル２２、送信シンボル２３Ｂ−ｂｂ、２３Ｃ−ｂｂに対しても同様である。
【００４４】
このように、時点２８ａにおいて、ＲＦＡＧＣ電圧とＩＦＡＧＣ電圧をＡＧＣ制御端子３７ａ、４０ａに供給する。この時点２８ａとは、フレーム同期用シンボル２２の終了時点２２ａから送信シンボル２３Ａ−ｂｂに対応した電源端子１６に電源を供給する時点２９ａの間とすればよい。
【００４５】
この時点２９ａにおいて電源端子１６に電源電圧が供給されたのちに、時間２９においてＲＦＡＧＣ電圧、ＩＦＡＧＣ電圧が所定の電圧に設定されることになる。すなわち、時間２９は、ＲＦＡＧＣ電圧、ＩＦＡＧＣ電圧が所定の電圧に設定されるための時間とすればよい。同時に、この時間２９は、発振器３８の発振周波数の安定する時間より大きく設定する必要がある。
【００４６】
これにより、従来のようにＲＦＡＧＣ電圧、ＩＦＡＧＣ電圧の安定化時間２７全てにおいてチューナ部３２に電源端子４５への電源を供給する必要はなく、この終了時点２２ａから時点２９ａの期間だけ、チューナ部３２への電源端子４５へ電源を供給する必要がない。これは、送信シンボル２３Ｂ−ｂｂあるいは送信シンボル２３Ｃ−ｂｂを選択する場合についても同様である。
【００４７】
なお、ＲＦＡＧＣ電圧のみを、時点２８ａにてＲＦ増幅器３７の制御端子３７ａに供給する場合においても消費電力の削減は可能である。すなわち、アンテナ３４で受信したデジタル信号が大きいレベルの場合に、ＲＦＡＧＣ電圧とＩＦＡＧＣ電圧がともに変化して利得制御が行われる。この場合に、妨害性能の確保のため、ＲＦＡＧＣ電圧による利得制御量は、ＩＦＡＧＣ電圧による利得制御量より大きくする。
【００４８】
このため、ＲＦＡＧＣ電圧の単位電圧当たりの利得制御量が大きくなり、例えば電源ノイズに対して敏感になる。これを防ぐため、ＡＧＣ制御端子３７ａとグランド間には大きな容量のコンデンサをチャージ用として接続するので、ＲＦＡＧＣ電圧の安定する時間が長くなってしまうのである。
【００４９】
一方、ＩＦＡＧＣ電圧の電圧当たりの利得制御量は小さくなり、ＡＧＣ制御端子４０ａとグランド間には小さな容量のコンデンサを用いることができるので、短時間に安定する。
【００５０】
つまり、消費電力の削減効果としては、ＲＦＡＧＣ電圧による効果が大きく、ＩＦＡＧＣによる効果は小さくなる。
【００５１】
なお、混合器３９は、ダイレクトコンバージョンとしてもよい。この場合には、混合器３９の代わりに混合器３９ｂ、３９ｃを用い、これら混合器３９ｂ、３９ｃの一方の入力にデジタル信号を供給し、混合器３９ｂの他方の入力に発振器３８の信号を入力し、混合器３９ｃの他方の入力に発振器３８の信号を９０度位相変化させた信号を入力する。
【００５２】
これにより、混合器３９ｂ、３９ｃからは、Ｉ、Ｑ信号が出力される。このように、混合器３９ｂ、３９ｃを用いてダイレクトコンバージョンとした場合には、イメージ妨害信号による影響が発生しない。また、混合器３９ｂ、３９ｃの出力がＬＰＦ（ローパスフィルタ）に接続される訳であり、集積化が容易である。
【００５３】
さらに、ＲＦ増幅器３７と混合器３９との間に混合器３９ｄ（図示せず）とＢＰＦ３９ｄ（図示せず）とをこの順に挿入してもよい。この場合には、混合器３９ｄから出力された中間周波数信号がＢＰＦ３９ｄに接続される。このＢＰＦ３９ｄにより例えば隣接妨害信号が十分に抑圧できるので、妨害信号に強いデジタル信号受信装置３１ａを実現することができる。
【００５４】
（実施の形態２）
図４は、実施の形態２におけるデジタル信号受信装置３１の移動中における信号切換えの説明図である。デジタル信号受信装置３１が第１のセル５１ａから、この第１のセル５１ａに隣接する第２のセル５２ａに移る場合の制御について説明する。
【００５５】
デジタル信号受信装置３１が第１のセル５１ａからの受信範囲５１から第２のセル５２ａの受信範囲５２に移る場合、両方のセル５１ａ、５２ａから出力される信号が共に受信できる受信範囲５３が存在する。この受信範囲５３に入ったとき、セル５２ａの電波を希望以外の番組の放送中に受信して、セル５２ａから出力される放送のＲＦＡＧＣ電圧とＩＦＡＧＣ電圧をメモリ４７に格納しておく。
【００５６】
そして、受信電波をセル５２ａに切換えるとともに、このＲＦＡＧＣ電圧とＩＦＡＧＣ電圧の制御も切換える。このことにより、移動中においてもスムースな切換えが可能となる。
【産業上の利用可能性】
【００５７】
本発明のデジタル信号受信装置では、ＡＧＣ制御電圧を供給してのちチューナへの電源供給を行うことにより省電力化ができるので、特に携帯用のデジタル信号受信装置等に適用することができる。
【図面の簡単な説明】
【００５８】
【図１】本発明の実施の形態１におけるデジタル信号受信装置のブロック図
【図２】（ａ）は、デジタル信号のフレーム構成のタイムチャート、（ｂ）は、ｂｂ番組を受信時のタイムチャート
【図３】（ａ）は、フレーム同期用シンボル、送信シンボルのタイムチャート、（ｂ）は、従来例におけるチューナ電源端子１６に供給する電源電圧のタイムチャート、（ｃ）は、実施の形態１におけるＲＦＡＧＣ電圧とＩＦＡＧＣ電圧のタイムチャート、（ｄ）は、同、チューナ電源端子４５に供給する電源電圧のタイムチャート
【図４】実施の形態２におけるデジタル信号受信装置の移動中における信号切換えの説明図
【図５】従来のデジタル信号受信装置のブロック図
【符号の説明】
【００５９】
３１  デジタル信号受信装置
３２  チューナ部
３５  アンテナ端子
３７  ＲＦ増幅器
３８  発振器
３９  混合器
３９ａ  ＡＧＣ制御器
４３  復調器
４４  出力端子
４５  電源端子
４６  制御器
【図１】
2008066823.tif 000003
【図２】
2008066823.tif 000004
【図３】
2008066823.tif 000005
【図４】
2008066823.tif 000006
【図５】
2008066823.tif 000007